(57)【要約】【課題】磁石が設けられている箇所を遊技者に知らせ、更に、パチンコ球がステージ上をどのように動くかを明確に認識させることができるパチンコ機を提供すること。【解決手段】センター役物と、前記センター役物に設けられるものであってパチンコ球が転動すると共に光透過性を有するステージと、前記ステージの下方内部に回転可能に配置されると共に光を透過しない回転体と、前記回転体を回転駆動する駆動手段と、前記回転体の回転軸心に対して半径方向外側へ離間して貫設された開口部に配設されると共に、前記開口部との間隙を光透過性の部材で埋設された磁石と、前記駆動手段によって回転駆動される前記回転体に設けられた前記磁石に吸着されて前記ステージ上を滑動するパチンコ球を該磁石の移動軌跡から離脱させるように前記移動軌跡を横切るように立設された剥離壁と、前記回転体の下部に配置された下部発光源と、を備える。【選択図】図１
2010158574.tif 000002
【特許請求の範囲】
【請求項１】
センター役物と、
前記センター役物に設けられるものであってパチンコ球が転動すると共に光透過性を有するステージと、
前記ステージの下方内部に回転可能に配置されると共に光を透過しない回転体と、
前記回転体を回転駆動する駆動手段と、
前記回転体の回転軸心に対して半径方向外側へ離間して貫設された開口部に配設されると共に、前記開口部との間隙を光透過性の部材で埋設された磁石と、
前記駆動手段によって回転駆動される前記回転体に設けられた前記磁石に吸着されて前記ステージ上を滑動するパチンコ球を該磁石の移動軌跡から離脱させるように前記移動軌跡を横切るように立設された剥離壁と、
前記回転体の下部に配置された下部発光源と、
を備えたことを特徴とするパチンコ機。
【請求項２】
センター役物と、
前記センター役物に設けられるとともにパチンコ球が転動するステージと、
前記ステージに設けられた円形開口部内に回転可能に設けられて該ステージと略同一面を構成するように配置されると共に光を透過しない回転体と、
前記回転体を回転駆動する駆動手段と、
前記回転体の上面部に回転軸心に対して半径方向外側へ離間して貫設された開口部に配設されると共に、前記開口部との間隙を光透過性の部材で埋設された磁石と、
前記回転体の下部に配置された下部発光源と、
前記ステージに立設されると共に前記駆動手段によって回転駆動される前記回転体に設けられた前記磁石の移動軌跡を横切るように前記円形開口部上へ突設されて前記磁石に吸着されたパチンコ球を前記移動軌跡から離脱させる剥離壁と、
を備えたことを特徴とするパチンコ機。
【発明の詳細な説明】
【技術分野】
【０００１】
本発明は、回転体上をパチンコ球が転動するパチンコ機に関するものである。
【背景技術】
【０００２】
従来のパチンコ機では、例えば、下記特許文献１に記載されているように、遊技盤の中央に配設される中央役物において、傾斜板の下に配置された回転円板に複数の永久磁石を取り付けたものがあり、これにより、傾斜板上に流下したパチンコ球を傾斜板上で移動させることができる。
【先行技術文献】
【特許文献】
【０００３】
特開平２−４９６７６号公報
【発明の概要】
【発明が解決しようとする課題】
【０００４】
この点、遊技者は傾斜板の下に配置された回転円板上の複数の永久磁石の箇所が判別し難く、また、パチンコ球が傾斜板上をどのように動くのか判別し難いという問題があった。
【０００５】
そこで、本発明は、上述した点を鑑みてなされたものであり、磁石が設けられている箇所を遊技者に知らせ、更に、パチンコ球がステージ上をどのように動くかを明確に認識させることができるパチンコ機を提供することを課題とする。
【課題を解決するための手段】
【０００６】
この課題を解決するために成された請求項１に係る発明は、センター役物と、前記センター役物に設けられるものであってパチンコ球が転動すると共に光透過性を有するステージと、前記ステージの下方内部に回転可能に配置されると共に光を透過しない回転体と、前記回転体を回転駆動する駆動手段と、前記回転体の回転軸心に対して半径方向外側へ離間して貫設された開口部に配設されると共に、前記開口部との間隙を光透過性の部材で埋設された磁石と、前記駆動手段によって回転駆動される前記回転体に設けられた前記磁石に吸着されて前記ステージ上を滑動するパチンコ球を該磁石の移動軌跡から離脱させるように前記移動軌跡を横切るように立設された剥離壁と、前記回転体の下部に配置された下部発光源と、を備えたことを特徴としている。
【０００７】
また、請求項２に係る発明は、センター役物と、前記センター役物に設けられるとともにパチンコ球が転動するステージと、前記ステージに設けられた円形開口部内に回転可能に設けられて該ステージと略同一面を構成するように配置されると共に光を透過しない回転体と、前記回転体を回転駆動する駆動手段と、前記回転体の上面部に回転軸心に対して半径方向外側へ離間して貫設された開口部に配設されると共に、前記開口部との間隙を光透過性の部材で埋設された磁石と、前記回転体の下部に配置された下部発光源と、前記ステージに立設されると共に前記駆動手段によって回転駆動される前記回転体に設けられた前記磁石の移動軌跡を横切るように前記円形開口部上へ突設されて前記磁石に吸着されたパチンコ球を前記移動軌跡から離脱させる剥離壁と、を備えたことを特徴としている。
【発明の効果】
【０００８】
すなわち、本発明のパチンコ機では、光を透過しない回転体の下部に配置された下部発光源から、この回転体に貫設された開口部に配設された磁石の周囲に存在する光透過性の部材を通過した光の移動軌跡によって、遊技者に対して磁石が設けられている箇所を知らせることができ、さらに、パチンコ球がステージ上をどのように動くかを明確に認識させることができる。
【図面の簡単な説明】
【０００９】
【図１】本実施の形態のパチンコ機のパチンコ球磁力移動機構の構成を示した斜視図である。
【図２】本実施の形態のパチンコ機の正面図を示す。
【図３】本実施の形態のパチンコ機の遊技盤の正面図を示す。
【図４】本実施の形態のパチンコ機の遊技盤の平面図を示す。
【図５】本実施の形態のパチンコ機の遊技盤の側面図を示す。
【図６】本実施の形態のパチンコ機でパチンコ球移動機構を構成する中央役物の筐体を示した三面図である。
【図７】本実施の形態のパチンコ機でパチンコ球移動機構を構成するモーターを示した三面図である。
【図８】本実施の形態のパチンコ機でパチンコ球移動機構を構成する回転体を示した三面図である。
【図９】本実施の形態のパチンコ機でパチンコ球移動機構を構成するフレキシブルケーブルを示した二面図である。
【図１０】本実施の形態のパチンコ機でパチンコ球移動機構を構成する基板を示した二面図である。
【図１１】本実施の形態のパチンコ機でパチンコ球移動機構を構成する第２歯車を示した二面図である。
【図１２】本実施の形態のパチンコ機でパチンコ球移動機構を構成するジョイントを示した三面図である。
【図１３】本実施の形態のパチンコ機の中央役物におけるパチンコ球磁力移動機構の構成を示した正面図である。
【図１４】本実施の形態のパチンコ機の中央役物におけるパチンコ球磁力移動機構の構成を示した平面図である。
【図１５】本実施の形態のパチンコ機の中央役物におけるパチンコ球磁力移動機構の構成を示した側面図である。
【図１６】その他の実施の形態のパチンコ機の正面図を示す。
【図１７】その他の実施の形態のパチンコ機の遊技盤の正面図を示す。
【図１８】その他の実施の形態のパチンコ機の遊技盤の平面図を示す。
【図１９】その他の実施の形態のパチンコ機の遊技盤の側面図を示す。
【図２０】その他の実施の形態のパチンコ機でパチンコ球移動機構を構成する中央役物の筐体を示した三面図である。
【図２１】その他の実施の形態のパチンコ機でパチンコ球移動機構を構成するモーターを示した三面図である。
【図２２】その他の実施の形態のパチンコ機でパチンコ球移動機構を構成する回転体を示した三面図である。
【図２３】その他の実施の形態のパチンコ機でパチンコ球移動機構を構成するフレキシブルケーブルを示した二面図である。
【図２４】その他の実施の形態のパチンコ機でパチンコ球移動機構を構成する基板を示した二面図である。
【図２５】その他の実施の形態のパチンコ機でパチンコ球移動機構を構成する第２歯車を示した二面図である。
【図２６】その他の実施の形態のパチンコ機でパチンコ球移動機構を構成するジョイントを示した三面図である。
【図２７】その他の実施の形態のパチンコ機の正面図を示す。
【図２８】その他の実施の形態のパチンコ機の遊技盤の正面図を示す。
【図２９】その他の実施の形態のパチンコ機の遊技盤の平面図を示す。
【図３０】その他の実施の形態のパチンコ機の遊技盤の側面図を示す。
【図３１】その他の実施の形態のパチンコ機でパチンコ球移動機構を構成する中央役物の筐体を示した三面図である。
【図３２】その他の実施の形態のパチンコ機でパチンコ球移動機構を構成するモーターを示した三面図である。
【図３３】その他の実施の形態のパチンコ機でパチンコ球移動機構を構成する回転体を示した三面図である。
【図３４】その他の実施の形態のパチンコ機でパチンコ球移動機構を構成するフレキシブルケーブルを示した二面図である。
【図３５】その他の実施の形態のパチンコ機でパチンコ球移動機構を構成する基板を示した二面図である。
【図３６】その他の実施の形態のパチンコ機でパチンコ球移動機構を構成する第２歯車を示した二面図である。
【図３７】その他の実施の形態のパチンコ機でパチンコ球移動機構を構成するジョイントを示した三面図である。
【図３８】その他の実施の形態のパチンコ機でパチンコ球移動機構を構成する固定部材を示した三面図である。
【図３９】その他の実施の形態のパチンコ機の正面図を示す。
【図４０】その他の実施の形態のパチンコ機の遊技盤の正面図を示す。
【図４１】その他の実施の形態のパチンコ機の遊技盤の平面図を示す。
【図４２】その他の実施の形態のパチンコ機の遊技盤の側面図を示す。
【図４３】その他の実施の形態のパチンコ機でパチンコ球移動機構を構成する中央役物の筐体を示した三面図である。
【図４４】その他の実施の形態のパチンコ機でパチンコ球移動機構を構成するモーターを示した三面図である。
【図４５】その他の実施の形態のパチンコ機でパチンコ球移動機構を構成する回転体を示した二面図である。
【図４６】その他の実施の形態のパチンコ機でパチンコ球移動機構を構成するフレキシブルケーブルを示した二面図である。
【図４７】その他の実施の形態のパチンコ機でパチンコ球移動機構を構成する第２歯車を示した二面図である。
【図４８】その他の実施の形態のパチンコ機でパチンコ球移動機構を構成するジョイントを示した三面図である。
【図４９】その他の実施の形態のパチンコ機でパチンコ球移動機構を構成する回転体を示した断面図である。
【図５０】その他の実施の形態のパチンコ機でパチンコ球移動機構を構成する回転体を示した斜視図である。
【発明を実施するための形態】
【００１０】
以下、本発明の実施の形態を図面を参照にして説明する。図２に、本実施の形態のパチンコ機１の正面図を示す。図２に示すように、本実施の形態のパチンコ機１では、中央役物２や第１種始動口３が配設された遊技盤４を備えている。
【００１１】
この遊技盤４について、図３に正面図を示し、図４に平面図を示し、図５に側面図を示す。
【００１２】
そして、この遊技盤４に配設された中央役物２には、図１の斜視図に示されたような概要を有するパチンコ球磁力移動機構１１が設けられている。そこで、ここでは、パチンコ球磁力移動機構１１の概要について説明する。
【００１３】
図１に示すように、パチンコ球磁力移動機構１１は、剥離壁２１が立設されるとともにパチンコ球が転動する光透過性のステージ２２と、そのステージ２２の下で回転する円筒状の回転体２３と、その回転体２３の曲面状の側面に設けられた第１歯車２４と、その第１歯車２４と歯合する第２歯車２５と、その第２歯車２５と一端が接続されたフレキシブルケーブル２６と、そのフレキシブルケーブル２６の他端を固持したジョイント２７と、そのジョイント２７に固持された駆動軸２８を有するモーター２９などから構成される。
【００１４】
従って、モーター２９が駆動すると、ジョイント２２７を介して、フレキシブルケーブル２６が回転するので、フレキシブルケーブル２６の一端に固体された第２歯車２５も回転することになる。そして、この第２歯車２５の回転力は、その第２歯車２５と歯合する第１歯車２４が設けられた回転体２３に伝達される。これにより、回転体２３は回転されることになる。
【００１５】
この点、回転体２３の上方円形平面３０には、貫通口３１が形成されており、さらに、その貫通口３１には永久磁石３２が埋め込まれている。従って、回転体２３が回転すると、永久磁石３２も回転することになる。
【００１６】
また、貫通口３１と永久磁石３２の間には光透過性樹脂３３が充填される一方、回転体２３の下方には基板３４に組み込まれたＬＥＤ３５が配置されている。従って、永久磁石３２の周囲にある光透過性樹脂３３からは、ＬＥＤ３５の光が透過することとなる。
【００１７】
尚、図１では、そのときの永久磁石３２の回転軌跡Ｌをステージ２２に投影して表示する。
【００１８】
以上より、ステージ２２上のパチンコ球も永久磁石３２の磁力によって、ステージ２２上を移動軌跡Ｌに沿って滑動するようになる。また、剥離壁２１は、ステージ２２上に投影された永久磁石３２の移動軌跡Ｌを横切るように設けられている。従って、ステージ２２上を移動軌跡Ｌに沿って滑動中のパチンコ球は、剥離壁２１と衝突することにより、永久磁石３２の磁力から解放されることになる。
【００１９】
ここで、図６〜図１２において、パチンコ球磁力移動機構１１を構成する部品の図面を示す。図６は、剥離壁２１とステージ２２が設けられた中央役物２の筐体４１を示した三面図（第三角法による正面図・平面図・側面図をあわせて表したもの。以下、同じ。）である。ここで、図６に基づいて、中央役物２の筐体４１について説明すると、筐体４１の右端面の中央付近には、パチンコ球が通過することが可能な通過口４２が形成されている。そして、通過口４２の下方には、筐体４１の下方中央に向かって下りに傾斜したステージ２２が形成されている。さらに、ステージ２２の左端側の下方であって、筐体４１の下方中央には、パチンコ球が流下し得る中央通路４３が形成されている。そして、中央通路４３は、筐体４１の正面の中央下部付近において形成されるとともにパチンコ球が通過することが可能な中央出口４４に連通している。
【００２０】
従って、通過口４２に進入したパチンコ球は、ステージ２２上に落下した後、ステージ２２上を左方向に向かって転動することになる。さらに、ステージ２２上を転動するパチンコ球は、ステージ２２の左端から落下すれば、中央通路４３を流下し、中央出口４４から放出されることになる。
【００２１】
もっとも、この中央役物２においては、ステージ２２の下で上述したように永久磁石３２が移動軌跡Ｌに沿って周回しており、ステージ２２上を左方向に向かって転動するパチンコ球は、この永久磁石３２の磁力が及ぶことにより、この移動軌跡Ｌに沿って滑動するようになる。そして、この移動軌跡Ｌに沿って滑動中のパチンコ球は、ステージ２２に立設された剥離壁２１に衝突することにより、その永久磁石３２の磁力から解放され、ステージ２２の左端から落下して、中央通路４３を流下し、中央出口４４から放出され、第１始動口３に向かって落下することになる。
【００２２】
また、図７はモーター２９の三面図である。ここで、符号２８はモータ２９の駆動軸である。図８は回転体２３の三面図である。図８に示すように、回転体２３には、その曲面状の側面に第１歯車２４が設けられている。また、回転体２３の上方円形平面３０には、永久磁石３２を埋め込むための貫通口３１が形成されている。図９はフレキシブルケーブル２６の二面図（第三角法による正面図・側面図をあわせて表したもの）である。図９に示すように、フレキシブルケーブル２６の両端には、第２歯車２５又はジョイント２７が固定される部分が設けられている。図１０は基板３４の二面図（第三角法による正面図・平面図をあわせて表したもの）である。図１０に示すように、基板３４の上面中央にはＬＥＤ３５が設けられている。図１１は第２歯車２５の二面図である。図１１に示すように、歯車２５にはフレキシブルケーブル２６の一端が嵌合される軸穴が設けられている。図１２はジョイント２７の三面図である。図１２に示すように、ジョイント２７には、モータ２９の駆動軸２８とフレキシブルケーブル２６の他端がその両側から挿入される貫通穴が設けられており、さらに、貫通穴に対しては、モータ２９の駆動軸２８とフレキシブルケーブル２６の他端を固持するためのビス穴が連通している。
【００２３】
尚、中央役物２におけるパチンコ球磁力移動機構１１の構成を図１３〜図１５に示す。図１３は当該構成を示した上面図であり、図１４は当該構成を示した平面図であり、図１５は当該構成を示した側面図である。
【００２４】
以上詳細に説明したように、本実施の形態のパチンコ機１では、回転体２３に周設された第１歯車２４とモーター２９に接続されたフレキシブルケーブル２６とを第２歯車２５を介して接続させることによって、パチンコ球が転動するステージ２２の下に設けれられた回転体２３を回転させており、中央役物２の下方以外の筐体４１の左端側にモーター２９を設置するとともに、モーター２９付近から回転体２３付近までの伝達機構を、相当な設置スペースが必要な複数のギヤで構成するのではなく、一本のフレキシブルケーブル２６で構成することができるので、ステージ２２上の回転体２３を回転させる機構の設置スペースを少なくすることができる。
【００２５】
すなわち、ステージ２２の下部に従来技術のようなスペースがなくなり、遊技盤４に中央役物２を設けても、第１種始動口３の配置に支障を来すことはない。この点、上記とは異なって、ギヤを複数組み合わせることにより、ステージ２２の下にモーター２９を設けることなく回転体２３を回転させる構成にした場合には、ギヤの取付やバックラッシュに配慮する必要があり、また、フレキシブルケーブル２６よりも大きなギヤで構成することも多いことから、複数のギヤを配設するための設置スペースを確保しなければならない。しかしながら、本実施の形態のパチンコ機１では、モーター２９と回転体２３とを接続する空間には、一本のフレキシブルケーブル２６のみを設けるだけである。
【００２６】
また、本実施の形態のパチンコ機１では、回転体２３に露出するように埋設された永久磁石３２の周囲に存在する光透過性樹脂３３からＬＥＤ３５の光が透過し、さらに、そのＬＥＤ３５の光は光透過性のステージ２２をも通過するので、これにより、遊技者に対して永久磁石３２が設けられている箇所を知らせることができ、さらに、パチンコ球がステージ２２上をどのように動くかを明確に認識させることができる。
【００２７】
尚、本発明は上記実施の形態に限定されるものでなく、その趣旨を逸脱しない範囲で様々な変更が可能である。
例えば、本実施の形態のパチンコ機１では、図１に示すように、パチンコ球が転動するステージ２２の下において、回転体２３の上方円形平面３０を配置させており、回転体２３に埋設された永久磁石３２を露出するように埋設させていた。
【００２８】
この点、図２０に示すように、ステージ２２に設けられた円形開口部１１１において、回転体２３の上方円形平面３０をステージ２２と同一面レベルで露出させた状態で、回転体２３を回転させてもよい。
【００２９】
ここで、図１６にその実施の形態のパチンコ機の正面図を示す。また、図１７に当該実施の形態のパチンコ機の遊技盤の正面図を示す。また、図１８に当該実施の形態のパチンコ機の遊技盤の平面図を示す。また、図１９に当該実施の形態のパチンコ機の遊技盤の側面図を示す。
また、図２０は当該実施の形態のパチンコ機でパチンコ球移動機構を構成する中央役物の筐体を示した三面図である。また図２１は当該実施の形態のパチンコ機でパチンコ球移動機構を構成するモーターを示した三面図である。また、図２２は当該実施の形態のパチンコ機でパチンコ球移動機構を構成する回転体を示した三面図である。また、図２３は当該実施の形態のパチンコ機でパチンコ球移動機構を構成するフレキシブルケーブルを示した二面図である。また、図２４は当該実施の形態のパチンコ機でパチンコ球移動機構を構成する基板を示した二面図である。また、図２５は当該実施の形態のパチンコ機でパチンコ球移動機構を構成する第２歯車を示した二面図である。また、図２６は当該実施の形態のパチンコ機でパチンコ球移動機構を構成するジョイントを示した三面図である。
尚、図１６〜図２６においては、図１〜図１５に示した本実施の形態のパチンコ機１と同一の構成については、同一の符号を付して説明を省略する。
【００３０】
また、本実施の形態のパチンコ機１に対して、第２歯車２５に代わって図３６の第２歯車３１１を使用するとともに、図３３に示すように、回転体２３の下方円形平面に歯形部３１２を設けて、この第２歯車３１１とこの歯形部３１２を歯合させることにより、回転体２３を回転させてもよい。
【００３１】
ここで、図２７にその実施の形態のパチンコ機の正面図を示す。また、図２８に当該実施の形態のパチンコ機の遊技盤の正面図を示す。また、図２９に当該実施の形態のパチンコ機の遊技盤の平面図を示す。また、図３０に当該実施の形態のパチンコ機の遊技盤の側面図を示す。
また、図３１は当該実施の形態のパチンコ機でパチンコ球移動機構を構成する中央役物の筐体を示した三面図である。また、図３２は当該実施の形態のパチンコ機でパチンコ球移動機構を構成するモーターを示した三面図である。また、図３３は当該実施の形態のパチンコ機でパチンコ球移動機構を構成する回転体を示した三面図である。また、図３４は当該実施の形態のパチンコ機でパチンコ球移動機構を構成するフレキシブルケーブルを示した二面図である。また、図３５は当該実施の形態のパチンコ機でパチンコ球移動機構を構成する基板を示した二面図である。また、図３６は当該実施の形態のパチンコ機でパチンコ球移動機構を構成する第２歯車を示した二面図である。また、図３７は当該実施の形態のパチンコ機でパチンコ球移動機構を構成するジョイントを示した三面図である。また、図３８は当該実施の形態のパチンコ機でパチンコ球移動機構を構成するジョイントを固定する固定部材３１３を示した三面図である。
尚、図２７〜図３８においては、図１〜図１５に示した本実施の形態のパチンコ機１と同一の構成については、同一の符号を付して説明を省略し、以下に異なった点を中心にして説明する。
【００３２】
すなわち、当該実施の形態のパチンコ機では、筐体４１に代わって、図３１に示す筐体３０１が使用される。この筐体３０１においては、その右端面の中央付近にパチンコ球が通過することが可能なワープ入口３２１が形成されている。そして、ワープ入口３２１は、パチンコ球が流下し得るように筐体３０１に貫通されたワープ通路３２２に連通している。一方、筐体３０１の正面の右側下方には、ワープ通路３２２に連通するとともにパチンコ球が通過することが可能なワープ出口３２３が形成されている。そして、ワープ出口３２３の下方にはステージ３２４が形成されている。さらに、ステージ３２４の中央奥には剥離壁３２５が形成されるとともに、その剥離壁３２５の奥側にはパチンコ球が通過することが可能な中央入口３２６が形成されている。そして、中央入口３２６は、パチンコ球が流下し得るように筐体３０１に貫通された中央通路３２７に連通している。一方、筐体３０１の正面の中央下部付近において、中央通路３２７に連通するとともにパチンコ球が通過することが可能な中央出口３２８が形成されている。
【００３３】
従って、ワープ入口３２１に進入したパチンコ球は、ワープ通路３２２を介して、ワープ出口３２３からステージ２４上に落下した後、ステージ３２４上を左方向に向かって転動することになる。もっとも、ここでは、ステージ３２４の中央下で、図２８及び図２９に示すように、回転体２３に設けられた永久磁石３２が回転しており、ステージ３２４上を中央に向かって転動するパチンコ球は、この永久磁石３２の磁力が及ぶことにより、この永久磁石３２の回転運動の軌跡に沿って滑動するようになる。そして、この軌跡に沿って滑動中のパチンコ球は、ステージ３２４に立設された剥離壁３２５に衝突することにより、その永久磁石３２の磁力から解放され、ステージ３２４の中央入口３２６を介して、中央通路３２７を流下し、中央出口３２８から放出され、第１始動口３に向かって落下することになる。
【００３４】
また、本実施の形態のパチンコ機１では、図１に示すように、パチンコ球が転動するステージ２２の下において、回転体２３の上方円形平面３０を配置させており、回転体２３に埋設された永久磁石３２を露出するように埋設させていた。
【００３５】
この点、図４３に示すように、ステージ２２に設けられた円形開口部１１１において、回転体２３の上方円形平面３０をステージ２２と同一面レベルで露出させた状態で、回転体２３を回転させてもよい。さらに、回転体２３に埋設された永久磁石３２に代わって、図４５に示すように、十字状の突起４１１を回転体２３の上方円形平面３０に設けてもよい。
【００３６】
ここで、図３９にその実施の形態のパチンコ機の正面図を示す。また、図４０に当該実施の形態のパチンコ機の遊技盤の正面図を示す。また、図４１に当該実施の形態のパチンコ機の遊技盤の平面図を示す。また、図４２に当該実施の形態のパチンコ機の遊技盤の側面図を示す。
また、図４３は当該実施の形態のパチンコ機でパチンコ球移動機構を構成する中央役物の筐体を示した三面図である。また図４４は当該実施の形態のパチンコ機でパチンコ球移動機構を構成するモーターを示した三面図である。また、図４５は当該実施の形態のパチンコ機でパチンコ球移動機構を構成する回転体を示した二面図である。また、図４６は当該実施の形態のパチンコ機でパチンコ球移動機構を構成するフレキシブルケーブルを示した二面図である。また、図４７は当該実施の形態のパチンコ機でパチンコ球移動機構を構成する第２歯車を示した二面図である。また、図４８は当該実施の形態のパチンコ機でパチンコ球移動機構を構成するジョイントを示した三面図である。
尚、図３９〜図４８においては、図１〜図１５に示した本実施の形態のパチンコ機１と同一の構成については、同一の符号を付して説明を省略する。
【００３７】
また、本実施の形態のパチンコ機１では、図１に示すように、貫通口３１と永久磁石３２の間には光透過性樹脂３３が充填される一方、回転体２３の下方には基板３４に組み込まれたＬＥＤ３５が配置されており、永久磁石３２の周囲にある光透過性樹脂３３からは、ＬＥＤ３５の光が透過することとなっていた。この点、図４９に示すように、光透過性樹脂で成形された回転２３に対して、開口部５０２が設けられた遮光キャップ５０１で覆うとともに、この開口部５０２から、回転体２３に埋め込まれた永久磁石３２及びその周囲を露出させるようにしてもよい。
【００３８】
また、本実施の形態のパチンコ機において、図５０に示すように、回転体２３の下方円形平面に一対の電極６０１，６０２を設けるとともに、それらの電極６０１，６０２に対して、コンタクト部材６１１，６１２をそれぞれ接触するように付勢させることにより、回転中の回転体２３に電気を供給するようにしてもよい。このような場合には、永久磁石３２の代わりに電磁石を使用することが可能になるし、ＬＥＤ３５を設けた基板３４を回転体２３に内設させることが可能となる。
【００３９】
特に、図５０では、永久磁石３２の代わりに電磁石を使用することから、電磁石への電圧の量を変えることにより、電磁石の磁力を可変させることができ、パチンコ球をくっつきやすくしたり、余りくっつかなくしたりすることができる。また、電磁石をＯＮ・ＯＦＦさせることにより、パチンコ球をくっつけたり、くっつかないようにすることができる。尚、電磁石をＯＮ・ＯＦＦさせる方法には、電磁石への供給電圧の量を「０」にする方法と、例えば、図５０に示すように、電極６０１を円周ではなく途中で途切れた「Ｃ」字状にする方法などがある。
【００４０】
また、図５０では、電極６０１が円周ではなく途中で途切れた「Ｃ」字状になっていることから、回転体２３に内設された基板３４のＬＥＤ３５を点滅させることができる。これにより、電源を供給したり停止したりすることなく、また、ＬＥＤ３５の点滅パターンを制御することなく、ＬＥＤ３５を点滅表示させることができる。
【産業上の利用可能性】
【００４１】
本発明は、ステージ上のパチンコ球を磁力で移動させる機構に適用しうる。
【符号の説明】
【００４２】
１      パチンコ機
２      中央役物
２１      剥離壁
２２      ステージ
２３      回転体
２４      第１歯車
２５      第２歯車
２６      フレキシブルケーブル２６
２７      ジョイント
２９      モータ
３１      貫通口
３２      永久磁石
３３      光透過性樹脂
３４      基板
３５      ＬＥＤ
５０１      遮光キャップ
６０１      電極
６０２      電極 
６１１      コンタクト部材
６１２      コンタクト部材
【図１】
2010158574.tif 000003
【図２】
2010158574.tif 000004
【図３】
2010158574.tif 000005
【図４】
2010158574.tif 000006
【図５】
2010158574.tif 000007
【図６】
2010158574.tif 000008
【図７】
2010158574.tif 000009
【図８】
2010158574.tif 000010
【図９】
2010158574.tif 000011
【図１０】
2010158574.tif 000012
【図１１】
2010158574.tif 000013
【図１２】
2010158574.tif 000014
【図１３】
2010158574.tif 000015
【図１４】
2010158574.tif 000016
【図１５】
2010158574.tif 000017
【図１６】
2010158574.tif 000018
【図１７】
2010158574.tif 000019
【図１８】
2010158574.tif 000020
【図１９】
2010158574.tif 000021
【図２０】
2010158574.tif 000022
【図２１】
2010158574.tif 000023
【図２２】
2010158574.tif 000024
【図２３】
2010158574.tif 000025
【図２４】
2010158574.tif 000026
【図２５】
2010158574.tif 000027
【図２６】
2010158574.tif 000028
【図２７】
2010158574.tif 000029
【図２８】
2010158574.tif 000030
【図２９】
2010158574.tif 000031
【図３０】
2010158574.tif 000032
【図３１】
2010158574.tif 000033
【図３２】
2010158574.tif 000034
【図３３】
2010158574.tif 000035
【図３４】
2010158574.tif 000036
【図３５】
2010158574.tif 000037
【図３６】
2010158574.tif 000038
【図３７】
2010158574.tif 000039
【図３８】
2010158574.tif 000040
【図３９】
2010158574.tif 000041
【図４０】
2010158574.tif 000042
【図４１】
2010158574.tif 000043
【図４２】
2010158574.tif 000044
【図４３】
2010158574.tif 000045
【図４４】
2010158574.tif 000046
【図４５】
2010158574.tif 000047
【図４６】
2010158574.tif 000048
【図４７】
2010158574.tif 000049
【図４８】
2010158574.tif 000050
【図４９】
2010158574.tif 000051
【図５０】
2010158574.tif 000052